(57)【要約】【課題】  中空型枠パネル内へのコンクリートの流れ込みを防止するとともに、中空型枠パネルの裏面に沿って縦ばた材を配置できる中空型枠パネル用キャップおよびキャップ付き中空型枠パネルを提供する。【解決手段】  片面がコンクリート打設面１１となる中空の堰板部１２と、堰板部１２のコンクリート打設面１１の裏面１３に設けられた複数の中空の桟木部１４とを有する中空型枠パネル１０に取り付けられて、中空型枠パネル１０の開口端面を封止する略平板状のキャップであって、中空型枠パネル１０の堰板部１２の裏面１３に沿って配置される縦ばた材を通す切欠部を設けるための切り取りガイド２５が、中空型枠パネル１０の開口端面を封止する封止部以外の部分に形成されている中空型枠パネル用キャップ２０。【選択図】        図１
2006207219.tif 000002
【特許請求の範囲】
【請求項１】
片面がコンクリート打設面となる中空の堰板部と、該堰板部のコンクリート打設面の裏面に設けられた複数の中空の桟木部とを有する中空型枠パネルに取り付けられて、中空型枠パネルの開口端面を封止する略平板状のキャップであって、
中空型枠パネルの堰板部の裏面に沿って配置される縦ばた材を通す切欠部を設けるための切り取りガイドが、中空型枠パネルの開口端面を封止する封止部以外の部分に形成されていることを特徴とする中空型枠パネル用キャップ。
【請求項２】
中空型枠パネルの堰板部の裏面および／または桟木部の表面に接する当接リブが設けられていることを特徴とする請求項１記載の中空型枠パネル用キャップ。
【請求項３】
中空型枠パネルの桟木部の中空部に嵌合する嵌合凸部が設けられていることを特徴とする請求項１または請求項２記載の中空型枠パネル用キャップ。
【請求項４】
片面がコンクリート打設面となる中空の堰板部と、該堰板部のコンクリート打設面の裏面に設けられた複数の中空の桟木部とを有する中空型枠パネルと、
該中空型枠パネルの開口端面に取り付けられた、請求項１ないし３いずれか一項に記載の中空型枠パネル用キャップと
を具備することを特徴とするキャップ付き中空型枠パネル。
【発明の詳細な説明】
【技術分野】
【０００１】
本発明は、中空型枠パネルの開口端面を封止する中空型枠パネル用キャップおよびキャップ付き中空型枠パネルに関する。
【背景技術】
【０００２】
軽量で施工性がよく、リサイクル可能なコンクリート打設用型枠パネルとして、プラスチック製の中空型枠パネルが提案されている（例えば、特許文献１参照）。
しかし、複数の中空型枠パネルを建て込んだ後、コンクリートを打設する際に、中空型枠パネルの上端の開口端面から中空型枠パネル内にコンクリートが流れ込むという問題があった。
中空型枠パネル内にコンクリートが流れ込んでしまうと、中空型枠パネルが重くなってしまうばかりでなく、釘打ちや切断加工などを行う際、硬化したコンクリートが邪魔になるという問題が生じてしまう。また、コンクリートが流れ込んだ中空型枠パネルは、リサイクルしにくいという問題もある。
【０００３】
中空型枠パネル内へのコンクリートの流れ込みを防止するために、キャップを中空型枠パネルの上端の開口端面に取り付けることが行われている（例えば、特許文献２参照）。
【特許文献１】特開平７−２０７９３０号公報
【特許文献２】特開２００２−２０６３３８号公報
【発明の開示】
【発明が解決しようとする課題】
【０００４】
ところで、中空型枠パネルを縦方向に積み重ねて建て込む場合、中空型枠パネルがコンクリート打設時のコンクリートの圧力によってずれないように、積み重ねられた中空型枠パネルの裏面に沿って長尺の縦ばた材が配置される。しかし、キャップを中空型枠パネルの上端の開口端面に取り付けた場合、キャップが邪魔になって中空型枠パネルの裏面に沿って縦ばた材を配置できないという問題がある。
よって、本発明の目的は、中空型枠パネル内へのコンクリートの流れ込みを防止するとともに、中空型枠パネルの裏面に沿って縦ばた材を容易に配置できる中空型枠パネル用キャップおよびキャップ付き中空型枠パネルを提供することにある。
【課題を解決するための手段】
【０００５】
本発明の中空型枠パネル用キャップは、片面がコンクリート打設面となる中空の堰板部と、該堰板部のコンクリート打設面の裏面に設けられた複数の中空の桟木部とを有する中空型枠パネルに取り付けられて、中空型枠パネルの開口端面を封止する略平板状のキャップであって、中空型枠パネルの堰板部の裏面に沿って配置される縦ばた材を通す切欠部を設けるための切り取りガイドが、中空型枠パネルの開口端面を封止する封止部以外の部分に形成されていることを特徴とするものである。
【０００６】
本発明の中空型枠パネル用キャップには、中空型枠パネルの堰板部の裏面および／または桟木部の表面に接する当接リブが設けられていることが望ましい。
また、中空型枠パネルの桟木部の中空部に嵌合する嵌合凸部が設けられていることが望ましい。
【０００７】
本発明のキャップ付き中空型枠パネルは、片面がコンクリート打設面となる中空の堰板部と、該堰板部のコンクリート打設面の裏面に設けられた複数の中空の桟木部とを有する中空型枠パネルと、該中空型枠パネルの開口端面に取り付けられた、本発明の中空型枠パネル用キャップとを具備することを特徴とするものである。
【発明の効果】
【０００８】
本発明の中空型枠パネル用キャップは、中空型枠パネル内へのコンクリートの流れ込みを防止するとともに、中空型枠パネルの裏面に沿って縦ばた材を容易に配置できる。
また、中空型枠パネルの堰板部の裏面および桟木部の表面に接する当接リブが設けられていれば、横ズレなく、確実に中空型枠パネルに取り付けることができる。
また、中空型枠パネルの桟木部の中空部に嵌合する嵌合凸部が設けられていれば、横ズレなく、確実に中空型枠パネルに取り付けることができる。
また、本発明のキャップ付き中空型枠パネルは、中空型枠パネル内へのコンクリートが流れ込むことがなく、また、中空型枠パネルの裏面に沿って縦ばた材を配置できる。
【発明を実施するための最良の形態】
【０００９】
以下、本発明を詳しく説明する。
図１は、本発明のキャップ付き中空型枠パネルの一例を示す図であり、このキャップ付き中空型枠パネルは、中空型枠パネル１０と、中空型枠パネル１０の開口端面に取り付けられた中空型枠パネル用キャップ２０を具備して概略構成されるものである。
【００１０】
中空型枠パネル１０は、片面がコンクリート打設面１１となる堰板部１２と、堰板部１２のコンクリート打設面１１の裏面１３に、等間隔に平行に設けられた６枚の桟木部１４、１４・・・とを有するものである。そして、堰板部１２および桟木部１４は、２枚の板１５、１５と、これら板１５の間を連結し、鉛直方向に延びる複数の長尺の補強リブ１６とが一体に成形されたものであり、補強リブ１６で仕切られた複数の中空部を有するものである。
【００１１】
図２は、図１の中空型枠パネル用キャップ２０の上面図であり、図３は、図１の中空型枠パネル用キャップ２０の下面図である。この中空型枠パネル用キャップ２０は、中空型枠パネル１０の開口端面を封止するものであり、平板２１と、平板２１の裏面に設けられた、中空型枠パネル１０の堰板部１２の裏面１３および桟木部１４の表面に接する断面Ｌ字形の当接リブ２２、２２・・・と、平板の裏面に設けられた、桟木部１４の中空部に嵌合する嵌合凸部２３、２３・・・と、中空型枠パネル１０の両側の桟木部１４から離間するように、かつ桟木部１４に平行になるように平板の裏面に設けられた指触防止リブ２４とを有して構成されるものである。
【００１２】
平板２１は、中空型枠パネル１０の開口端面をすべて覆うように、幅方向の長さが桟木部１４の幅と堰板部１２厚さとの合計と同じとされ、長手方向の長さが堰板部１２の幅と同じとされているものである。
また、平板２１の表面には、中空型枠パネル１０の堰板部１２の裏面１３に沿って配置される縦ばた材を通す切欠部を設けるためのコの字形の切り取りガイド２５が、中空型枠パネル１０の開口端面を封止する（すなわち、中空型枠パネル１０の堰板部１２の開口端面および桟木部１４の開口端面に接する）封止部２６以外の部分（非封止部２７）に形成されている。
【００１３】
切り取りガイド２５は、これで区画された縦ばた材を通す切欠部となり得る領域を切り取りやすくするために、その両端が平板２１の側縁から外方に開放されるように形成される。また、切り取りガイド２５は、これで区画された縦ばた材を通す切欠部となり得る領域が、これを切り取った際に縦ばた材を通すことができる大きさの切欠部となるように、形成される。よって、縦ばた材として、断面の一辺の長さが７２ｍｍの角パイプを用いる場合は、切り取りガイド２５の一辺の長さを例えば７２〜７３ｍｍとし、断面の直径が６０ｍｍの丸パイプを用いる場合は、切り取りガイド２５の一辺の長さを例えば６０〜６１ｍｍとする。
【００１４】
桟木部１４の幅は、縦ばた材の一辺の長さ（または直径）と同じとされている。したがって、切り取りガイド２５の一辺の長さを縦ばた材に応じた上記範囲の長さとしておけば、切り取りガイド２５に沿って非封止部２７の一部を切り取って形成される切欠部を通る縦ばた材は、中空型枠パネル１０の堰板部１２の裏面１３に沿って（接して）配置されることになる。また、切り取りガイド２５は、縦ばた材が桟木部１４にも沿って配置されるように形成されることが好ましい。
【００１５】
切り取りガイド２５は、平板２１の表面に形成された溝であってもよく、縦ばた材を通す切欠部となり得る領域を切り取りやすくする弱化線であってもよく、部分的に平板２１の表面から裏面に貫通していてもよい。また、切り取りガイド２５は、平板２１の片面のみに形成してもよく、平板２１の両面に形成してもよい。切り取りガイド２５の幅は、特に限定はされないが、通常１〜３ｍｍである。
【００１６】
当接リブ２２は、中空型枠パネル１０に取り付けられた中空型枠パネル用キャップ２０の横ズレを防止するものである。また、当接リブ２２は、堰板部１２および桟木部１４に当接するように設けられており、中空型枠パネル用キャップ２０を中空型枠パネル１０に取り付ける際の位置決めとしての役割も果たすものである。また、当接リブ２２は、中空型枠パネル用キャップ２０を中空型枠パネル１０に取り付けた際に、桟木部１４を挟み込むことになる。したがって、２つの当接リブ２２の間に桟木部１４を嵌合させることができる。なお、当接リブ２２は、切り取りガイド２５で区画された縦ばた材を通す切欠部となり得る領域に設けないことが好ましい。
【００１７】
嵌合凸部２３は、中空型枠パネル１０に取り付けられた中空型枠パネル用キャップ２０の横ズレを防止するものであり、また、中空型枠パネル用キャップ２０を中空型枠パネル１０に取り付ける際の位置決めとしての役割を果たすものである。
また、嵌合凸部２３は、図４〜６に示すように、中空型枠パネル用キャップ２０を中空型枠パネル１０にネジ３０（または釘）で固定する際のネジ受けとしての役割を果たす。嵌合凸部２３には、ネジ３０が横ズレしないように凹部２８が形成されている。
【００１８】
指触防止リブ２４は、図４に示すように、中空型枠パネル用キャップ２０を中空型枠パネル１０に固定するために、ネジ３０（または釘）を桟木部１４および嵌合凸部２３に貫通させた際、桟木部１４から突出するネジ３０の先端に指が触れないように、ネジ３０の先端を隠すものである。
指触防止リブ２４と桟木部１４との隙間は、指が入り込まない程度であればよく、通常１０ｍｍ以下とすればよい。
【００１９】
中空型枠パネル用キャップ２０は、例えば、プラスチック材料の射出成形等によって製造されるものである。
プラスチック材料としては、例えば、ポリプロピレン、ポリエチレンテレフタレート（ＰＥＴ）、ポリカーボネート、ポリ塩化ビニル、ポリエチレン、ＡＢＳ樹脂、ナイロンなどが挙げられる。必要に応じて、炭酸カルシウム等の充填剤を配合してもよい。
【００２０】
また、中空型枠パネル１０は、例えば、プラスチック材料の押出成形等によって製造されるものである。
プラスチック材料としては、例えば、ポリプロピレン、ポリエチレンテレフタレート（ＰＥＴ）、ポリカーボネート、ポリ塩化ビニル、ポリエチレン、ＡＢＳ樹脂、ナイロンなどが挙げられる。必要に応じて、炭酸カルシウム等の充填剤を配合してもよい。
【００２１】
次に、本発明のキャップ付き中空型枠パネルの設置（建て込み）について、図７および図８を参照しながら説明する。
あらかじめ、中空型枠パネル用キャップ２０の切り取りガイド２５で区画された縦ばた材を通す切欠部となり得る領域を、切り取りガイド２５に沿って切断し、縦ばた材を通す切欠部を形成する。縦ばた材を通す切欠部が形成された中空型枠パネル用キャップ２０を、中空型枠パネル１０上端および下端に取り付け、必要に応じてネジで固定する。このようにして、中空型枠パネル１０の開口端部が中空型枠パネル用キャップ２０によって封止されたキャップ付き中空型枠パネルを作製する。
【００２２】
複数のキャップ付き中空型枠パネルを、堰板部１２のコンクリート打設面１１が同一平面となるように一列に並べる。さらに、この上に複数のキャップ付き中空型枠パネルを、堰板部１２のコンクリート打設面１１が同一平面となるように積み重ねる。
ついで、中空型枠パネル１０の堰板部１２に穿設された挿通孔４０に、Ｐコン４１が両端近傍に設けられた丸棒状のセパレータ４２の端部をコンクリート打設面１１側から挿通する。挿通孔４０から突き出たセパレータ４２の端部に、中空型枠パネル１０の外側から締付金具４３を螺合により取り付け、セパレータ４２のＰコン４１と締付金具４３基端部のフランジ４４との間で堰板部１２を挟み込む。
【００２３】
ついで、別の複数の中空型枠パネル１０を、すでに建て込まれた中空型枠パネル１０に対してコンクリート打設面１１が対向するように、かつセパレータ４２の他端を挿通孔４０に挿通しながら建て込む。挿通孔４０から突き出たセパレータ４２の端部に、中空型枠パネル１０の外側から締付金具４３を螺合により取り付け、セパレータ４２のＰコン４１と締付金具４３基端部のフランジ４４との間で堰板部１２を挟み込む。
【００２４】
ついで、角パイプからなる縦ばた材４５を、中空型枠パネル１０の堰板部１２の裏面１３に沿うように、かつ中空型枠パネル用キャップ２０に形成された切欠部を通るように配置する。この縦ばた材４５を配置することによって、積み重ねられた中空型枠パネル１０がコンクリート打設時のコンクリートの圧力によってずれないようにされている。
【００２５】
さらに、締付金具２３の上下に角パイプからなる一対の横ばた材４６を配置し、これらを支持する座金４７および座金４７を止めるクサビ４８で、横ばた材４６を縦ばた材４５および桟木部１４の側縁に当接させた状態で固定する。この横ばた材４６を配設することによって、中空型枠パネル１０が、コンクリート打設時のコンクリートの圧力によって外側に膨らまないようにされている。
【００２６】
以上説明した中空型枠パネル用キャップ２０にあっては、中空型枠パネル１０の開口端面を封止する略平板状のキャップであって、中空型枠パネル１０の堰板部１２の裏面１３に沿って配置される縦ばた材４５を通す切欠部を設けるための切り取りガイド２５が形成されているので、切り取りガイド２５で区画された縦ばた材４５を通す切欠部となり得る領域を、切り取りガイド２５に沿って容易に切断することができ、結果、中空型枠パネル１０の裏面１３に沿って縦ばた材４５を容易に配置できる。
【００２７】
また、切り取りガイド２５が、中空型枠パネル１０の開口端面を封止する封止部２６以外の非封止部２７に形成されているので、切り取りガイド２５で区画された縦ばた材４５を通す切欠部となり得る領域を切断した場合であっても、中空型枠パネル１０内へのコンクリートの流れ込みを防止できる。また、縦ばた材４５を配置しない場合は、切り取りガイド２５で区画された縦ばた材４５を通す切欠部となり得る領域を切断することなく、通常の中空型枠パネル用キャップとして使用できる。切欠部を設けない場合は、非封止部２７を利用して敷桟木(コンクリートスラブ上に型枠を敷設し固定するための桟木)に釘止め、型枠パネル同士を縦て継ぎする場合の釘止め、またはクリップ止めが可能である。
【００２８】
また、平板２１の表面に、中空型枠パネル１０の堰板部１２および桟木部１４に接する当接リブ２２と、桟木部１４の中空部に嵌合する嵌合凸部２３とが設けられているので、横ズレなく、中空型枠パネル１０の開口端面を封止し、中空型枠パネル１０内へのコンクリートの流れ込みを確実に防止することができる。
【００２９】
また、従来の型枠パネルを建て込む際には、コンクリートスラブ面に水平に固定された敷桟木への型枠パネルの固定のために、および天井スラブ型枠または梁下型枠への型枠パネルの固定のために、型枠の上下端に横桟木が取り付けられる。しかし、本発明のように堰板と縦桟木（桟木部）が一体化された中空型枠パネルにおいては、横桟木の取り付けのため、縦桟木の両端を横桟木の厚み分だけ切り欠く必要があった。本発明の中空型枠パネル用キャップ２０を用いれば、縦桟木の切り欠き加工を必要とせず、中空型枠パネル１０の開口端面に中空型枠パネル用キャップ２０を取り付けるだけで、中空型枠パネル用キャップ２０が横桟木の役割を果たす。
【００３０】
なお、本発明の中空型枠パネル用キャップは、縦ばた材を通す切欠部を設けるための切り取りガイドが、中空型枠パネルの開口端面を封止する封止部以外の部分に形成されているものであればよく、図示例のものに限定はされない。
また、当接リブは、必ずしも堰板部および桟木部の両方に接するように設けられている必要はなく、堰板部または桟木部の一方に接するように設けられていてもよい。
【００３１】
また、中空型枠パネル１０の開口端面への中空型枠パネル用キャップ２０の固定は、上述のようなネジ止めには限定されず、超音波ウエルダー、高周波ウエルダー等による溶着、または接着剤による接着によって行っても構わない。
本発明の中空型枠パネル用キャップの材質は、プラスチックに限定はされず、金属、木材、セラミックス等であっても構わない。ただし、リサイクルの点で中空型枠パネルと同じ材質、特にプラスチック材料であることが好ましい。
【産業上の利用可能性】
【００３２】
本発明の中空型枠パネル用キャップは、中空型枠パネル内にコンクリートが流れ込まないようにキャップを取り付けると縦ばた材を配置できない、という中空型枠パネルの欠点を克服するものであり、中空型枠パネルの実用性を高め、従来の合板型枠パネルからプラスチック製の中空型枠パネルへの切り替えを促進するものである。
【図面の簡単な説明】
【００３３】
【図１】本発明の中空型枠パネル用キャップおよびこれが取り付けられる中空型枠パネルの一例を示す斜視図である。
【図２】図１の中空型枠パネル用キャップの上面図である。
【図３】図１の中空型枠パネル用キャップの下面図である。
【図４】図２の中空型枠パネル用キャップを中空型枠パネルにネジで固定した様子を示す断面図である。
【図５】図２の中空型枠パネル用キャップを中空型枠パネルにネジで固定した様子を示す断面図である。
【図６】図２の中空型枠パネル用キャップを中空型枠パネルにネジで固定した様子を示す断面図である。
【図７】本発明のキャップ付き中空型枠パネルの設置形態の一例を示す斜視図である。
【図８】セパレータの中空型枠パネルへの取り付け状態の一例を示す要部断面図である。
【符号の説明】
【００３４】
１０  中空型枠パネル
１１  コンクリート打設面
１２  堰板部
１３  裏面
１４  桟木部
２０  中空型枠パネル用キャップ
２１  平板
２２  当接リブ
２３  嵌合凸部
２５  切り取りガイド
２６  封止部
４５  縦ばた材
【図１】
2006207219.tif 000003
【図２】
2006207219.tif 000004
【図３】
2006207219.tif 000005
【図４】
2006207219.tif 000006
【図５】
2006207219.tif 000007
【図６】
2006207219.tif 000008
【図７】
2006207219.tif 000009
【図８】
2006207219.tif 000010